(57)【要約】【課題】用水で対応する花瓶や活け花用の剣山を使った花卉活けは、いずれも花卉を支持する点が実質的には一点しかない事で、花卉活け形状が崩れて移動や搬送は非常に困難である。さらには花卉活け後には移動や搬送すると用水が花瓶や容器から激しく漏水する事があり、年少者や高齢者が花卉活けするには容器そのものに花卉を安定支持する箇所が無いために、これも困難であった。【解決手段】このような課題を解決するために、容器には水分補給ができて花卉茎を支持することで形状保持できる水分補給材を入れ、容器上部には花卉茎を挿入することで柔らかく挟み込む支持器を設けた。このように花卉茎の下部及び上部の二点を支持することで、十分な水分補給と振動などによる花卉活けの形状崩れを防止できる花卉活け容器の構造にした。        【選択図】図１
2010095306.tif 000002
【特許請求の範囲】
【請求項１】
花卉（１）に水分を補給できる水分補給材（３）または切花用給水材を花卉活け容器の充填容器（以下容器と称す）内に充填することで花卉（１）に継続して水分補給を可能として、容器（２）に設けた支持器（４）により花卉茎（８）の上部支持部（１０）と下部支持部（１１）の上下二点を支持することを特徴とする花卉生け容器。
【請求項２】
前記支持器（４）が容器（２）に複数が設けられ、花卉（１）を挿入することにより花卉茎（８）の複数点を固定して支持できることを特徴とする請求項１に記載の花卉活け容器。
【発明の詳細な説明】
【技術分野】
【０００１】
本発明は、水分補給を目的とした用水を容器に充填するのではなく、予め水分を保水した、または必要な水分を離水する水分補給材または切花用給水材を充填した容器に、挿入した花卉を任意な形状に支持できる支持器を設けることで、一般人をはじめ年少者や高齢者でも容易に花卉活けができて、用水は継続的に補給され且つ移動時や搬送により容器から用水が流出することが少なく、花卉茎の脱落や形崩れが少ない花卉活け容器に関するものである。
【背景技術】
【０００２】
一般的な花卉活けには、用水を入れた花瓶などに挿したり、水没させた剣山に生活けるが、これでは頻繁に水補給が必要であり、移動時には水漏洩したり活けられた花卉が脱落したり形状が崩れたりする。
【０００３】
また不安定な状態での花卉活けは、年少者や高齢者には困難であり容易に花卉生けすることは困難である。また花卉活けが終了した容器及び花器を移動するには、花卉を固定支持するものがなければ、剣山のように花卉の最下部のみを固定されていても不安定な為に、花器を移動することは困難であり、長距離移動は通常の方法では非常に困難である。
【０００４】
花卉活けの形状保持には剣山意外には、スポンジ状のオアシスという商品名称で市販されているものがあるが、水分持続が短時間であることと、移動時の振動により形状が崩れやすい弱点がある。またその他の水分補給材のみでは花卉への水補給が出来ても、移動に耐えるには不十分であった。
【０００５】
さらには、用水の腐敗は花卉を痛め、花器からの水漏洩や手軽に補給できない事は輸送には敵さない。これらの事情を鑑み、容易に水補給ができて漏水や移動による形状崩れが少なく誰にでも手軽に花卉活けができる花卉生け容器の開発が待たれていた。
【０００６】
そこで、これらの課題を解決するために、水分保水力が高い水分補給材を容器内部に充填して、容器上部に花卉を支持できる支持器を付加することで、花卉茎の上下二点を支えることができて形状を安定に保てることを見出し、本発明を完成するに至った。
【０００７】
しかし花卉活けは部屋や空間を飾るものであるので、美的感を得るために、花卉生け終了時には、容器を装飾する装飾外殻で包み込むと良い。この外殻材の材料としては、樹脂製フィルムやカラーコートされたコート紙などが良い。さらにはラッピング用材で包み込むことも良い。
【発明の開示】
【発明が解決しようとする課題】
【０００８】
本発明は、上述のような課題を解決するためになされたもので、用水漏洩が少なく長時間安定して補水が可能となり、年少者でも容易に花卉活けができて、搬送してでも形崩れが少なくすることを課題とするものである。
【課題を解決するための手段】
【０００９】
本発明は、このような課題を解決するために、花卉の支持力は全く無い用水に代えて、半固形又は粘度の高い水分補給材を使用して容器内に充填し、更には容器上部に切り込みを設けた支持器を容器に付加することで、花卉の下部は水分補給材で支持され、花卉上部は付加した支持器で支持されることにより、花卉茎部の二点を支持されることになり、移動や搬送による振動でも形状が安定できることが確認できた。
【００１０】
当該支持器の切り込みパターンは花卉を容易に挿入することかできて、花卉活けを終えた時には、花卉茎が傷つかないように支持する必要がある。この為には切り込みを設ける部分の材料厚みの選択や、切り込みの形状や切り込み数を選択する必要がある。
【００１１】
この為には支持器の材質は厚さ３０μmから２００μm厚のポリエステルなどの樹脂フィルムがよい。色彩については花卉への水分補給と形状保持には関係しないのでデザインを優先したものでよい。
【００１２】
さらに、切り込みの数と形状については、切り込み本数を多くしたり曲線形状で切り込み距離をより長くすると、花卉茎を挟み込む力が弱くなり、逆に切り込み本数を少なくしたり直線形状にすると花卉茎を挟み込む力が強くなる事が判明した。従って活ける花卉数や花卉茎の強度に応じて対応する。
【発明の効果】
【００１３】
以上のように、本発明は、容器に水分補給材充填と花卉茎を支持する支持器を組み合わせることで、長時間により水分補給ができて花卉活けも容易にできるのみではなく、安定した形状保持もできて、移送にも耐え得る花卉支持容器を得ることができる。
【００１４】
このことは年少者が教育現場で実習学習として実習した花卉活けを、手軽に自宅に持ち帰ることができる大きな成果も得られた。
【発明を実施するための最良の形態】
【００１５】
本発明において、水分補給材３を充填する容器２は専用容器を準備する必要は無く使用済みの食品容器を流用しても良いが、容器２に設ける支持器４は容器２に固定できる構造にする事が重要である。これは花卉茎８が抜け出ることを防止する為には、容易に容器２と支持器４が離別することにより、支持機能が損なわれるからである。
【００１６】
また切り込みの形状は、切り込み本数が多いほど支持箇所が増加するので最適であるが、挟み込む力が弱くなるので、支持器材厚を増して挟み込む力を増すことが望ましい。
【００１７】
以下、本発明の実施形態について、図面に基づき説明する。
【実施例】
【００１８】
（実施例１）
実施例１は、水分補給ができて、花卉茎８を上部支持部１０及び下部支持部１１の上下二点で支えることを目的とした花卉活け容器の実施形態であり、本発明による花卉活け容器の製造方法として、厚さ５０μmのポリエステル真空成型品を容器２として、その内部にゲル状の水分補給材３を充填した。充填する水分補給材３は切花用給水材や樹脂発泡による高保水性材料でも良く、花卉１に効率良く水分補給できるものなら特に限定するものではない。さらには厚さ30μmのポリエステルフィルムを真空整形した支持器４の上部表面に曲線切り込み６の形状で切り込み５を設けて容器２の上部に置き、勘合接合９により容器２と接合固定した。水分補給材３には既に用水が充分に含まれおり、この状態で任意に切り取った花卉１を切り込み５から挿入すると切り込み分が開き続いて容器内の水分補給材３に差し込まれる。
【００１９】
これにより花卉１は水分補給材３より水分が補給開始され、水分補給材３の材料粘度の高さにより花卉茎が下部支持部１１で支持される。さらには支持器４表面の曲線形状の切り込み６により挟み込まれ又、花卉挿入の圧力により下方向に押し下げられて、切り込み５が元に戻ろうとする材料バネ力により花卉茎８を挟みながら上へと抜け落ちることを上部支持部１０と下部支持部１１の二点で支持することとなり、花卉１の脱落や形状崩れを防止できる。
【００２０】
また容器２の軽い揺れや傾きがあっても、さらには横倒しになっても用水は水分補給材３の保水性により容器外に漏洩する事が殆ど無かった。このことは支持器の支持機能と相まって安心して容易に移動したり搬送することができる。    
【００２１】
（実施例２）
実施例２では容器２に付加する支持器４を、容器内部にも追加して付加した。これは容器上部の支持器を小型化したものを容器中段内部に、勘合式で設けた。
これにより花卉茎８を支持する箇所が三点となりより多くの支持効果が得られた。
【産業上の利用可能性】
【００２２】
従来の花卉活けはガラス製などの花瓶に用水を入れて生けるか、水没させた剣山で活ける方法が主流であった。しかし本発明では年少者や高齢者においてでも手軽に花卉活けができて、さらには用水漏洩や形状崩れの心配が少ないので、自宅に持ち帰ることや部屋替えすることも容易になった。
【００２３】
このことは幼稚園や小学校の教育現場やさらには高齢者施設の現場で、親しく花卉活けができるようになり、幅広い愛好者が増加して花卉産業界への貢献も大きいと考える。またホテルや飲食店などでは従業員が手軽に花卉活けができて花卉活けが更に広がり花卉需要は増していくと思われる。
【図面の簡単な説明】
【００２４】
【図１】一実施例としての水分補給材を備えた二点支持式の花卉容器。
【図２】一実施例としての支持器に刻む曲線切り込み形状。
【図３】一実施例としての支持器に刻む直線切り込み形状。
【符号の説明】
【００２５】
１  花卉
２  容器
３  水分補給材
４  支持器
５  切り込み
６  曲線切り込み
７  直線切り込み
８  花卉茎
９  勘合接合
１０上部支持部
１１下部支持部
【図１】
2010095306.tif 000003
【図２】
2010095306.tif 000004
【図３】
2010095306.tif 000005